(57)【要約】【課題】単位インバータのヒューズ溶断を確実に検出し、他の健全な単位インバータで運転を継続することが可能な単位インバータ並列駆動の電力変換装置を提供する。【解決手段】交流電源から供給される交流電圧を直流電圧に変換する整流回路１と、直流電圧を平滑する直流コンデンサ２と、平滑された直流電圧を交流電圧に変換するインバータ回路３と、このインバータ回路の短絡故障を保護するために設けられたヒューズ４とから成る単位インバータを複数台並列接続して共通の交流電動機９を駆動する電力変換装置において、何れかの単位インバータの運転中の直流電圧が低下して所定値以下となったとき、全ての前記単位インバータをゲートブロックし、所定時間後、直流電圧が低下した当該単位インバータを切り離し手段により駆動系から切り離し、当該単位インバータを除く他の単位インバータのゲートブロックを解除して再起動する。【選択図】図１
2007202299.tif 000002
【特許請求の範囲】
【請求項１】
交流電源から供給される交流電圧を直流電圧に変換する整流回路と、
前記直流電圧を平滑する直流コンデンサと、
前記平滑された直流電圧を交流電圧に変換するインバータ回路と、
このインバータ回路の短絡故障を保護するために設けられたヒューズと
から成る単位インバータを複数台並列接続して共通の交流電動機を駆動する電力変換装置であって、
何れかの前記単位インバータの運転中の直流電圧が低下して所定値以下となったとき、
全ての前記単位インバータをゲートブロックし、
所定時間後、直流電圧が低下した当該単位インバータを切り離し手段により駆動系から切り離し、
当該単位インバータを除く他の単位インバータのゲートブロックを解除して再起動するようにしたことを特徴とする電力変換装置。
【請求項２】
交流電源から供給される交流電圧を直流電圧に変換する整流回路と、
前記直流電圧を平滑する直流コンデンサと、
前記平滑された直流電圧を交流電圧に変換するインバータ回路と、
このインバータ回路の短絡故障を保護するために設けられたヒューズと
から成る単位インバータを複数台並列接続して共通の交流電動機を駆動する電力変換装置であって、
何れかの前記単位インバータの運転中の出力電流が増大して所定値以上となったとき、
全ての前記単位インバータを一旦ゲートブロックし、
このゲートブロックを解除して再起動したとき、前記出力電流が増大した当該単位インバータの出力電流の運転周波数の２倍成分のリップルが所定値以上であれば、
全ての前記単位インバータを再びゲートブロックし、
所定時間後、当該単位インバータを切り離し手段により駆動系から切り離し、
当該単位インバータを除く他の単位インバータのゲートブロックを解除して再起動するようにしたことを特徴とする電力変換装置。
【請求項３】
交流電源から供給される交流電圧を直流電圧に変換する整流回路と、
前記直流電圧を平滑する直流コンデンサと、
前記平滑された直流電圧を交流電圧に変換するインバータ回路と、
このインバータ回路の短絡故障を保護するために設けられたヒューズと
から成る単位インバータを複数台並列接続して共通の交流電動機を駆動する電力変換装置であって、
前記各々の単位インバータのゲートパルスを供給する制御部を２重化構成とし、
何れかの前記単位インバータの運転中の直流電圧が低下して所定値以下となったとき、
全ての前記単位インバータをゲートブロックし、
所定時間後、前記直流電圧が低下した当該単位インバータの入力電流及び出力電流の少なくともひとつが所定レベルに到達したときには、
当該単位インバータを切り離し手段により駆動系から切り離し、
当該単位インバータを除く他の単位インバータのゲートブロックを解除して再起動するようにし、
前記所定時間後、前記直流電圧が低下した当該単位インバータの入力電流及び出力電流の少なくともひとつが所定レベルに到達しないときには、
前記２重化構成された制御部を一方から他方に切替え、全ての単位インバータのゲートブロックを解除して再起動するようにしたことを特徴とする電力変換装置。
【請求項４】
前記ヒューズは、前記単位インバータのインバータ回路の各々の変換アームに設けられていることを特徴とする請求項１乃至請求項３の何れか１項に記載の電力変換装置。
【請求項５】
前記ヒューズは、前記単位インバータのインバータ回路の入力部に設けられていることを特徴とする請求項１または請求項３に記載の電力変換装置。
【請求項６】
前記共通の交流電動機の運転時の負荷状態を検出する手段を有し、
前記単位インバータのうち１台を切り離したとき残りの単位インバータの容量の合計が前記負荷状態を上回ることを前記再起動のインタロック条件としたことを特徴とする請求項１または請求項２に記載の電力変換装置。
【請求項７】
前記共通の交流電動機の運転時の負荷状態を検出する手段を有し、
前記単位インバータのうち１台を切り離したとき残りの単位インバータの容量の合計が前記負荷状態を上回ることを、前記当該単位インバータを除く他の単位インバータのゲートブロックを解除して再起動するインタロック条件としたことを特徴とする請求項３に記載の電力変換装置。
【請求項８】
前記切り離し手段は、前記単位インバータの入力側に設けられた開閉器及び出力側に設けられた開閉器の少なくともひとつによることを特徴とする請求項１乃至請求項７の何れか１項に記載の電力変換装置。
【請求項９】
各々の前記単位インバータの出力側に結合リアクトルまたは変圧器を設けたことを特徴とする請求項１乃至請求項８の何れか１項に記載の電力変換装置。
【発明の詳細な説明】
【技術分野】
【０００１】
本発明は、単位インバータを複数台並列駆動して共通の交流電動機を駆動する電力変換装置に関する。
【背景技術】
【０００２】
複数台の単位インバータを用いる電力変換装置において、１台の単位インバータが何らかの原因で故障したとき、この故障した単位インバータを切り離して、他の健全な単位インバータを用いて電力変換装置の運転継続を図るニーズは多い（例えば特許文献１参照。）。
【０００３】
通常、単位インバータが直流短絡を起こした時の保護としては、直流回路に設けられたヒューズを利用する。即ち、直流短絡が発生した単位インバータは短絡電流によりヒューズが溶断して装置から切離され、被害の拡大を防止する。
【０００４】
このとき電力変換装置として運転継続を行なうためには、このヒューズ溶断を検出する必要があるが、ヒューズにマイクロスイッチを設け、ヒューズが溶断したとき、マイクロスイッチが動作するように構成してヒューズの溶断を検出するのが通常であった。
【特許文献１】特開２００３−３３３８６２号公報（第３−４頁、図１）
【発明の開示】
【発明が解決しようとする課題】
【０００５】
特許文献１に示された電力変換装置は、単位インバータの出力を出力側に共通に設けられた変圧器の２次巻線で合成して高電圧を出力する所謂直列多重方式である。然るに、単位インバータを並列に接続して共通の負荷である交流電動機を駆動する方式であっても、前述した電力変換装置としての運転継続のニーズは多い。
【０００６】
また、前述したマイクロスイッチを用いたヒューズ溶断の検出方式は、マイクロスイッチが誤動作する恐れがあるばかりでなく、単位インバータの電圧が高い場合には絶縁の問題も生じ、単位インバータが大型になってしまう問題があった。
【０００７】
本発明は上記に鑑みて為されたもので、単位インバータのヒューズ溶断を確実に検出し、他の健全な単位インバータで運転を継続することが可能な単位インバータ並列駆動の電力変換装置を提供することを目的とする。
【課題を解決するための手段】
【０００８】
上記目的を達成するため、本発明の第１の発明である電力変換装置は、交流電源から供給される交流電圧を直流電圧に変換する整流回路と、前記直流電圧を平滑する直流コンデンサと、前記平滑された直流電圧を交流電圧に変換するインバータ回路と、このインバータ回路の短絡故障を保護するために設けられたヒューズとから成る単位インバータを複数台並列接続して共通の交流電動機を駆動する電力変換装置であって、何れかの前記単位インバータの運転中の直流電圧が低下して所定値以下となったとき、全ての前記単位インバータをゲートブロックし、所定時間後、直流電圧が低下した当該単位インバータを切り離し手段により駆動系から切り離し、当該単位インバータを除く他の単位インバータのゲートブロックを解除して再起動するようにしたことを特徴としている。
【０００９】
また、本発明の第２の発明である電力変換装置は、交流電源から供給される交流電圧を直流電圧に変換する整流回路と、前記直流電圧を平滑する直流コンデンサと、前記平滑された直流電圧を交流電圧に変換するインバータ回路と、このインバータ回路の短絡故障を保護するために設けられたヒューズとから成る単位インバータを複数台並列接続して共通の交流電動機を駆動する電力変換装置であって、何れかの前記単位インバータの運転中の出力電流が増大して所定値以上となったとき、全ての前記単位インバータを一旦ゲートブロックし、このゲートブロックを解除して再起動したとき、前記出力電流が増大した当該単位インバータの出力電流の運転周波数の２倍成分のリップルが所定値以上であれば、全ての前記単位インバータを再びゲートブロックし、所定時間後、当該単位インバータを切り離し手段により駆動系から切り離し、当該単位インバータを除く他の単位インバータのゲートブロックを解除して再起動するようにしたことを特徴としている。
【００１０】
また、本発明の第３の発明である電力変換装置は、交流電源から供給される交流電圧を直流電圧に変換する整流回路と、前記直流電圧を平滑する直流コンデンサと、前記平滑された直流電圧を交流電圧に変換するインバータ回路と、このインバータ回路の短絡故障を保護するために設けられたヒューズとから成る単位インバータを複数台並列接続して共通の交流電動機を駆動する電力変換装置であって、前記各々の単位インバータのゲートパルスを供給する制御部を２重化構成とし、何れかの前記単位インバータの運転中の直流電圧が低下して所定値以下となったとき、全ての前記単位インバータをゲートブロックし、所定時間後、前記直流電圧が低下した当該単位インバータの入力電流及び出力電流の少なくともひとつが所定レベルに到達したときには、当該単位インバータを切り離し手段により駆動系から切り離し、当該単位インバータを除く他の単位インバータのゲートブロックを解除して再起動するようにし、前記所定時間後、前記直流電圧が低下した当該単位インバータの入力電流及び出力電流の少なくともひとつが所定レベルに到達しないときには、前記２重化構成された制御部を一方から他方に切替え、全ての単位インバータのゲートブロックを解除して再起動するようにしたことを特徴としている。
【発明の効果】
【００１１】
本発明によれば、単位インバータのヒューズ溶断を確実に検出し、他の健全な単位インバータで運転を継続することが可能な単位インバータ並列駆動の電力変換装置を提供することが可能となる。
【発明を実施するための最良の形態】
【００１２】
以下、図面を参照して本発明の実施例を説明する。
【実施例１】
【００１３】
図１は本発明の実施例１に係る電力変換装置の回路構成図である。図１において、整流回路１ａ、１ｂは交流電源から夫々入力開閉器７ａ、７ｂを介して与えられる交流電圧を直流電圧に変換する。この直流電圧は夫々直流コンデンサ２ａ、２ｂにより平滑され、インバータ回路３ａ、３ｂによって任意の周波数の交流電圧に変換される。直流コンデンサ２ａ、２ｂとインバータ回路３ａ、３ｂの直流リンク部には夫々ヒューズ４ａ、４ｂが設けられている。インバータ回路３ａ、３ｂは、夫々結合リアクトル５ａ、５ｂ並びに出力開閉器６ａ、６ｂを介して共通の交流電動機９に可変周波数の交流電力を供給して可変速駆動する。尚、上記において、結合リアクトル５ａ、５ｂは出力電圧を昇圧または降圧する変圧器であっても良い。また、例えば共通の交流電動機９が多巻線の電動機であり、各々の単位インバータが各々の巻線に給電するような構成の場合は、結合リアクトル５ａ、５ｂを省略することも可能である。
【００１４】
上記構成において、整流回路１ａ、直流コンデンサ２ａ、インバータ回路３ａ及びヒューズ４ａは単位インバータａを構成している。同様に、整流回路１ｂ、直流コンデンサ２ｂ、インバータ回路３ｂ及びヒューズ４ｂは単位インバータｂを構成している。
【００１５】
インバータ回路３ａ、３ｂは、各々ブリッジ接続された複数の変換アームから構成され、各々の変換アームは１個または複数個のスイッチング素子を備えている。そしてこれ等のスイッチング素子には後述する制御部３０からゲートパルスが与えられている。
【００１６】
直流コンデンサ２ａ、２ｂの両端電圧は夫々電圧検出器８ａ、８ｂによって検出され、直流電圧ａ、直流電圧ｂとして比較器２１ａ、２１ｂの一方の入力に夫々与えられる。そして、比較器２１ａ、２１ｂの他方の入力には直流電圧低下検出レベル信号が与えられ、単位インバータａ、ｂを運転中に直流電圧ａ、直流電圧ｂがこの直流電圧低下検出レベルを下回ったとき１を出力し、夫々ラッチ回路２２ａ、２２ｂに入力する。ラッチ回路２２ａ、２２ｂの出力はタイムディレイ回路２３ａ、２３ｂに夫々与えられ、このタイムディレイ回路２３ａ、２３ｂの出力により夫々入力開閉器７ａ及び出力開閉器６ａ、並びに入力開閉器７ｂ及び出力開閉器６ｂを開放する構成となっている。
【００１７】
尚、入力開閉器７ａ及び出力開閉器６ａは回路のしゃ断を確実にするために両方設けているが、ヒューズ４ａの機能を考慮して何れか一方を省略することも可能である。
【００１８】
以下制御部３０の構成について説明する。尚、図１において制御部３０は単位インバータａ及び単位インバータｂを制御する共通の制御部としているが、各々の単位インバータに別個に制御部を設ける構成としても良い。
【００１９】
外部から与えられる速度指令は速度制御回路３１に与えられる。速度制御回路３１は速度指令に見合う電圧基準を出力し、この電圧基準をゲート生成回路３２に与える。ゲート生成回路３２は電圧基準に見合う電圧がインバータ回路３ａ、３ｂから出力されるようにインバータ回路３ａ、３ｂの各変換アームのスイッチング素子へゲートパルスを供給する。ここで速度制御回路３１は、交流電動機９の速度帰還制御を行う場合もあるが、ここでは図示していない。マイナーループとしての電流制御部も同様に図示していない。
【００２０】
ラッチ回路２２ａ、２２ｂから得られる電圧低下ａ信号と電圧低下ｂ信号は保護回路３３に与えられる。そして、何れかの電圧低下信号が与えられたとき、保護回路３３は全ての単位インバータに与えるゲートを停止させるゲートブロック信号を出力する。そして保護回路３３には、出力開閉器６ａ、６ｂの補助接点２４ａ、２４ｂの信号が夫々出力開閉信号ａ、出力開閉信号ｂとして与えられており、何れかの出力開閉器が開になったとき、開となった当該インバータ回路を除く全てのインバータ回路のゲートブロックを解除し、単位インバータを再起動させる。
【００２１】
以上の回路構成によれば、何れかの単位インバータの直流短絡を直流電圧の低下によって検出し、この電圧低下信号によって全てのインバータをゲートブロックすると共に所定時間後に直流短絡した当該単位インバータの入出力開閉器を開放し、この出力開閉器の開放を確認して当該単位インバータ以外の全ての単位インバータのゲートブロックを解除して再起動を行なうことが可能となる。
【００２２】
尚、直流短絡時は、短絡点に直流コンデンサの電荷が放電することによって直流電圧は急激に低下するが、ヒューズが溶断した後は整流回路から直流コンデンサは充電され、直流電圧は再び回復する。ヒューズが溶断するのは短絡電流が流れることによるものであるから、この直流電圧の低下を検出すれば、原理的にはヒューズが溶断するより早く直流短絡を確実に検出することが可能となる。
【００２３】
上記において、単位インバータは単位インバータａと単位インバータｂの２台の構成として説明したが、３台以上の構成であっても良いことは明らかである。
【実施例２】
【００２４】
図２は本発明の実施例２に係る電力変換装置の回路構成図である。この実施例２の各部について、図１の本発明の実施例１に係る電力変換装置の回路構成図の各部と同一部分は同一符号で示し、その説明は省略する。この実施例２が実施例１と異なる点は、直流リンク部に設けたヒューズ４ａ、４ｂに代え、インバータ回路３ａ、３ｂ内の各変換アームにアームヒューズ１０ａ、１０ｂを夫々設けた点である。
【００２５】
実施例１の場合と同様、例えばインバータ回路３ａにおいて直流短絡が発生した場合、直流電圧が低下すると共に当該インバータ回路内の何れかのアームヒューズ１０ａが溶断する。
【００２６】
従って、ヒューズ４ａに代え、各々の変換アームにアームヒューズを設けた場合においても実施例１の場合と全く同様の方法により、健全な単位インバータを用いて再起動することによって運転継続を図ることが可能となる。
【実施例３】
【００２７】
図３は本発明の実施例３に係る電力変換装置の回路構成図である。この実施例３の各部について、図２の本発明の実施例２に係る電力変換装置の回路構成図の各部と同一部分は同一符号で示し、その説明は省略する。この実施例３が実施例２と異なる点は、電圧検出器８ａ、８ｂに代え、出力電流検出器１１ａ、１１ｂを設けた点、制御部３０Ａ内に設けた比較器３４ａ、３４ｂにより出力電流検出器１１ａ、１１ｂより得られる出力電流ａ、出力電流ｂの各信号を夫々出力過電流検出レベルと比較し、出力過電流の信号を保護回路３３に与える構成とした点、出力電流ａ、出力電流ｂをリプル検出回路２５ａ、２５ｂに夫々入力し、電流リプルが所定値以上あったとき１を出力してラッチ回路２２ａ、２２ｂに与え、ラッチ回路の出力を夫々リプル大ａ、リプル大ｂの信号として保護回路３３に与えるように構成した点である。
【００２８】
実施例２の場合と同様、例えば、インバータ回路３ａの内部で短絡が発生すると、直流コンデンサ２ａから短絡電流が流れて直流電圧が低下する。ここで直流電圧が低下したとき、交流電動機９から直流コンデンサ２ａに充電電流が流れる。これは、アームヒューズ１０ａが溶断するまで継続すると考えて良い。
【００２９】
このとき、出力電流検出器１１ａの出力である出力電流aと出力過電流検出レベルとを比較器３４ａで比較し、出力過電流を検出する。出力過電流を検出すると保護回路３３がインバータ回路３ａ、３ｂをゲートブロックする。そしてゲートブロック実施後、一度、再起動する。このとき、アームヒューズ１０ａが溶断しているため、出力電流２９ａは運転周波数の２倍のリプルを有する。この運転周波数の２倍のリプル電流をリプル検出回路３０ａで検出して、保護回路３３に出力して、インバータ回路３ａ、３ｂをゲートブロックする。また、タイムディレイ回路２３ａによりゲートブロック後所定時間遅れたタイミングで入力開閉器７ａと出力開閉器６ａを開放する。出力開閉器６ａを開放後、補助接点２７ａからの出力開閉信号ａを保護回路３３に入力し、出力開閉器６ａが開放したことを確認して再起動して運転を継続する。
【００３０】
本実施例によれば、アームヒューズの溶断を運転周波数の２倍のリプル電流の検出により再確認しているので、更に確実にアームヒューズの溶断を検出することが可能となる。
【実施例４】
【００３１】
図４は本発明の実施例３に係る電力変換装置の回路構成図である。この実施例４の各部について、図３の本発明の実施例３に係る電力変換装置の回路構成図の各部と同一部分は同一符号で示し、その説明は省略する。この実施例４が実施例３と異なる点は、制御部３０Ｂ内に出力電流ａ、ｂを入力とする負荷状態判定回路３５及びこの負荷状態判定回路３５の出力を入力とする再起動許可回路３６を設け、再起動許可回路３６の出力を保護回路３３に与えてゲートブロック解除のインタロック条件とするように構成した点である。
【００３２】
実施例１乃至実施例３において、直流短絡を発生した単位インバータを切り離して、他の健全な単位インバータを用いて再起動する例を説明したが、共通の交流電動機９の負負荷状態を確認してこれを行なわないと、再起動時に過負荷となってしまう恐れがある。従って、この実施例４においては、再起動時に過負荷とならないことを負荷状態判定回路３５及び再起動許可回路３６によって自動的に検出している。
【００３３】
負荷状態判定回路３５は、１台の単位インバータに直流短絡が生じる前の交流電動機９の負荷状態を検出する必要があるので、内部に遅れ要素を設けておくと良い。また、再起動許可回路３６は、例えば予め１台の単位インバータが切り離されたときの全体のインバータ容量を設定しておき、この設定値と上記負荷状態の検出値とを比較すれば良い。
【００３４】
尚、本実施例では、単位インバータの出力電流の合計値によって交流電動機９の負荷状態を検出するように構成したが、他の情報、例えば入力電流、入力または出力電力、電動機速度などから交流電動機９の負荷状態を検出するようにしても良い。
【００３５】
また、本実施例はアームヒューズを使用した単位インバータとしたが、実施例１に示したように直流リンクにヒューズを用いた単位インバータであっても良いことは明らかである。
【実施例５】
【００３６】
図５は本発明の実施例５に係る電力変換装置の回路構成図である。この実施例５の各部について、図１の本発明の実施例１に係る電力変換装置の回路構成図の各部と同一部分は同一符号で示し、その説明は省略する。この実施例５が実施例１と異なる点は、出力電流検出器１１ａ、１１ｂを設け、これによりインバータ回路３ａ、３ｂの出力電流を夫々検出して制御部３０Ｃ内に設けられた比較器３７ａ、３７ｂの一方の入力とするようにした点、比較器３７ａ、３７ｂの他方の入力に出力過電流検出レベルを与え、比較器３７ａ、３７ｂの出力を切替回路３８に与えるようにした点、制御部３０Ｃ内の速度制御回路、保護回路及びゲート生成回路を速度制御回路３１ａ、３１ｂ、保護回路３３ａ、３３ｂ、ゲート生成回路３２ａ、３２ｂと２重化構成とし、ゲート生成回路３２ａ、３２ｂの出力を切替器３９に与え、上述の切替回路３８の出力によって切替え可能な構成とした点、タイムディレイ回路２３ａ、２３ｂの出力をＡＮＤ回路２６ａ、２６ｂの一方の入力に夫々与え、ＡＮＤ回路２６ａ、２６ｂの他方には上述の切替回路３８の出力を与えて、このＡＮＤ回路２６ａ、２６ｂの出力によって出力開閉器６ａ、６ｂ及び入力開閉器７ａ、７ｂを夫々開放するように構成した点である。
【００３７】
前述したように、例えばインバータ回路３ａ内の直流短絡によってヒューズ４ａが溶断したとき、電圧検出器８ａが電圧低下を検出するが、インバータ回路３ａの出力側から電流が逆流する。従ってこの電流の逆流が検出されない場合は、実際には直流短絡は発生しておらず、何らかの制御部の異常が生じているためと考えられる。
【００３８】
本実施例によれば、比較器３７ａまたは３７ｂにおいて、単位インバータａまたは単位インバータｂの出力電流が出過電流検出レベル以上であったとき１を出力し、切替回路３８はＡＮＤ回路２６ａ、２６ｂに１を出力する。この場合の動作は実施例１の場合と全く同様になる。若し単位インバータａまたは単位インバータｂの出力電流が出過電流検出レベル以下であったときは、上述した制御部異常と判断し、切替回路３８は０を出力して切替器３９を反転させて制御部の切替えを行なう。この場合は出力開閉器６ａ、６ｂ及び入力開閉器７ａ、７ｂは開放されずにそのまま全ての単位インバータのゲートブロックを解除して再起動する。
【００３９】
以上説明したように、本実施例によれば、制御部の異常による電圧低下が発生したとき、制御部を待機系に切替えることによって運転継続を図ることが可能となる。
【実施例６】
【００４０】
図６は本発明の実施例６に係る電力変換装置の回路構成図である。この実施例６の各部について、図５の本発明の実施例５に係る電力変換装置の回路構成図の各部と同一部分は同一符号で示し、その説明は省略する。この実施例６が実施例５と異なる点は、出力電流検出器１１ａ、１１ｂに代えて入力電流検出器１２ａ、１２ｂを設け、この検出値である入力電流ａ、入力電流ｂを夫々比較器３７ａ、３７ｂの一方の入力とし、これらの他方の入力である入力過電流検出レベルと比較するように構成した点である。
【００４１】
前述したように直流短絡が生じたとき、直流電圧は低下する。このとき、実際に直流短絡が発生していれば、単位インバータの入力側から電流が流入する。従って、実施例５の場合と同様に制御部の異常による電圧低下が発生したとき、制御部を待機系に切替えることによって運転継続を図ることが可能となる。
【００４２】
尚、実施例５及び実施例６において、電圧検出回路８ａまたは電圧検出回路８ｂの誤動作によって直流電圧低下を検出する場合がある。この場合は、制御部にこの電圧検出回路を含めて２重化し、入力または出力の過電流が生じないとき、この電圧検出回路を含めた制御部を切替えるように構成すれば良い。
【００４３】
また、実施例５と実施例６を併用し、出力電流と入力電流の両方の過電流検出を行なって更に確実に直流リンクのヒューズまたはアームヒューズの溶断を確認するようにしても良い。
【図面の簡単な説明】
【００４４】
【図１】本発明の実施例１に係る電力変換装置の回路構成図。
【図２】本発明の実施例２に係る電力変換装置の回路構成図。
【図３】本発明の実施例３に係る電力変換装置の回路構成図。
【図４】本発明の実施例４に係る電力変換装置の回路構成図。
【図５】本発明の実施例５に係る電力変換装置の回路構成図。
【図６】本発明の実施例６に係る電力変換装置の回路構成図。
【符号の説明】
【００４５】
１ａ、１ｂ  整流回路
２ａ、２ｂ  直流コンデンサ
３ａ、３ｂ  インバータ回路
４ａ、４ｂ  ヒューズ
５ａ、５ｂ  結合リアクトル
６ａ、６ｂ  出力開閉器
７ａ、７ｂ  入力開閉器
８ａ、８ｂ  直流電圧検出回路
９  ３相交流電動機
１０ａ、１０ｂ  アームヒューズ
１１ａ、１１ｂ  出力電流検出回路
１２ａ、１２ｂ  入力電流検出回路
２１ａ、２１ｂ  比較器
２２ａ、２２ｂ  ラッチ回路
２３ａ、２３ｂ  タイムディレイ回路
２４ａ、２４ｂ  補助接点
２５ａ、２５ｂ  リプル検出回路
２６ａ、２６ｂ  ＡＮＤ回路
３０、３０Ａ、３０Ｂ、３０Ｃ  制御部
３１、３１ａ、３１ｂ  速度制御回路
３２、３２ａ、３２ｂ  ゲート生成回路
３３、３３ａ、３３ｂ  保護回路
３５  負荷状態判定回路
３６  再起動許可回路
３７ａ、３７ｂ  比較器
３８  切替回路
３９  切替器
【図１】
2007202299.tif 000003
【図２】
2007202299.tif 000004
【図３】
2007202299.tif 000005
【図４】
2007202299.tif 000006
【図５】
2007202299.tif 000007
【図６】
2007202299.tif 000008